(57)【要約】  【課題】  本発明は、主としてパチンコ機の基体に回路基板を結束せしめ、回路基板の不正な差換え行為などを有効に防止せしめるインシュロックを提供するものである。  【解決手段】所要の幅と長さを備えた可撓性帯状本体２の一端に係止孔３が形成されると共に、該係止孔３に挿通係止せしめるべく該本体２の一面にはその長手方向に沿って所定ピッチ毎に係止突起６が形成されてなるインシュロック１において、上記本体２にはその長手方向に沿ってアンテナ線９が封入され、該アンテナ線９には所要の情報を記憶せしめたＩＣチップ１０が接続されると共に、結束時にアンテナ線９の両端部を接続せしめるべく本体２には喰い込み自在な接続金具１４が付設されている。  【選択図】      図１
2005080830.tif 000002
【特許請求の範囲】
【請求項１】
所要の幅と長さを備えた可撓性帯状本体の一端に係止孔が形成されると共に、該係止孔に挿通係止せしめるべく該本体の一面にはその長手方向に沿って所定ピッチ毎に係止突起が形成されてなり、上記本体を被結束物にル−プ状に巻付けつつ所要の係止突起を係止孔に係止して結束せしめるべく構成されたインシュロックにおいて、上記本体にはその長手方向に沿ってアンテナ線が封入され、該アンテナ線には所要の情報を記憶せしめたＩＣチップが接続されると共に、結束時にアンテナ線の両端部を接続せしめるべく本体には喰い込み自在な接続金具が付設されてなることを特徴とする、インシュロック。
【請求項２】
アンテナ線は本体のほぼ全長にわたって封入されてなることを特徴とする、請求項１記載のインシュロック。
【請求項３】
接続金具は本体に喰い込ませて封入アンテナ線の両端を接続せしめるべく略Ｗ字形状に形成されてなることを特徴とする、請求項１及び２記載のインシュロック。
【請求項４】
本体に所要の情報を記憶せしめたバ−コ−ドが貼着されてなることを特徴とする、請求項１記載のインシュロック。
【発明の詳細な説明】
【技術分野】
【０００１】
本発明は、主としてパチンコ機の基体に回路基板を結束せしめて不正行為を有効に防止せしめることが出来るインシュロックに関する。
【背景技術】
【０００２】
従来より、この種のインシュロックとしては、実開平６−８８０７２号公報などに記載されているように、所要の幅と長さを備えた合成樹脂製帯状本体の一端に係止孔が形成されると共に、該係止孔に挿通係止せしめるべく本体の一面にはその長手方向に沿って所定ピッチ毎に係止突起が形成されたものが知られている。そして、上述のごとく構成された従来例は、リ−ド線やケ−ブル類など所要の被結束物に本体をル−プ状に巻付け、所要の係止突起を係止孔に係止して結束せしめるものとされている。
【０００３】
ところで、かかる従来のインシュロックは、上述の如きリ−ド線やケ−ブル類などの結束のみならず、例えば、パチンコ機の賭博性を高めるべく不正に回路基板を差換えるなどの不正行為の防止にも適用せしめられている。即ち、パチンコ機の基体と回路基板とをインシュロックにより結束せしめると共に、その結束個所に封印せしめるものである。    
【特許文献１】特開平６−８８０７２号公報
【発明の開示】
【発明が解決しようとする課題】
【０００４】
上述のごとく構成された従来のインシュロックは、リ−ド線やケ−ブル類などの被結束物を結束せしめる場合には極めて好適に使用することが出来るものである。
【０００５】
しかしながら、パチンコ機における不正行為を防止せしめるべく基体と回路基板とを結束せしめた場合においては、単に本体をル−プ状に巻付けつつ所要の係止突起を係止孔に係止して結束せしめるにすぎないものであるから、インシュロックの結束を潜り抜けて回路基板を不正に差換えられるおそれがあり、かかる場合には回路基板自体の情報をチェックすることが出来ないためその不正を適確にチエックし得ないものである。また、結束状態下のインシュロックを切断して回路基板を不正に差換えたのち、切断せしめたインシュロックを原状状態に擬装せしめた場合においてはその結束状態を視認してチェックせざるを得ないものであって、同様に不正行為を適確にチェックすることが出来ないものである
。
【０００６】
本発明は従来の問題点を解決しようとするもので、主としてパチンコ機の基体に回路基板を結束せしめ、回路基板の不正な差換え行為などを有効に防止せしめることが出来るインシュロックを提供するにある。
【課題を解決するための手段】
【０００７】
上記の目的を達成するため、本発明の請求項１記載の発明は、所要の幅と長さを備えた可撓性帯状本体の一端に係止孔が形成されると共に、該係止孔に挿通係止せしめるべく該本体の一面にはその長手方向に沿って所定ピッチ毎に係止突起が形成されてなり、上記本体を被結束物にル−プ状に巻付けつつ所要の係止突起を係止孔に係止して結束せしめるべく構成されたインシュロックにおいて、上記本体にはその長手方向に沿ってアンテナ線が封入され、該アンテナ線には所要の情報を記憶せしめたＩＣチップが接続されると共に、結束時にアンテナ線の両端部を接続せしめるべく本体には喰い込み自在な接続金具が付設されてなることを特徴とする、インシュロックを要旨とするものである。
【０００８】
請求項１記載のインシュロックにおいて、アンテナ線は本体のほぼ全長にわたって封入され、また、接続金具は本体に喰い込ませて封入アンテナ線の両端を接続せしめるべく略Ｗ字形状に形成されている。さらに、本体には所要の情報を記憶せしめたバ−コ−ドが貼着されている。
【発明の効果】
【０００９】
本発明は上述のように構成されているから、本体をル−プ状に折曲せしめつつパチンコ機の基体と回路基板とを一体的に結束せしめると共に、本体に接続金具を喰い込ませて封入するアンテナ線の両端を接続せしめ、ＩＣチップに記憶せしめた情報をバ−コ−ド・ＩＣカ−ドリ−ダライタ等に読み取って不正な回路基板の差換えをチェックし、また、結束状態下の本体が切断されている場合にはバ−コ−ド・ＩＣカ−ドリ−ダライタ等によるＩＣチップの情報読取りが不能となり、不正な回路基板の差換えをチェックすることが出来るものであって、常に不正な回路基板の差換えを有効に防止せしめることが出来るものである。
【発明を実施するための最良の形態】
【００１０】
以下に、本発明を実施するための最良の形態を図面に示す一実施例に基づいて説明する
。
【実施例】
【００１１】
図１〜図５は本発明の一実施例を示すもので、同図中、１はインシュロック、２は該インシュロック１を構成する所要の幅と長さを備えた弾性を有する合成樹脂製帯状本体、３は該本体２の一端部に略方形体状凸部４を介して形成された係止孔、５は該係止孔３内に可動自在に形成された係止爪である。６は上記係止孔３に挿通して係止爪５に係止せしめるべく本体２の長手方向に沿ってその一面に所定ピッチ毎に形成された係止突起、７は同他面に広幅状の貼着部８を介して貼着されたバ−コ−ドで、該バ−コ−ド７にはパチンコ機全体の型板・規格・生産年月日・品名・ＩＤコ−ド・ＩＣチップ用照合ＩＤに関する情報等が記憶せしめられている。９は前記本体２のほぼ全長にわたって封入されたアンテナ線、１０は該アンテナ線９に接続されたＩＣチップで、該ＩＣチップ１０には照合用ＩＤと後記する回路基板１７の番号・内機の規格内容等の情報が記憶せしめられている。１１は上記アンテナ線９の両端部を接続せしめるべく本体２の係止孔３側に付設されたアンテナ線用接続具、１２は該接続具１１を構成する略上向きコ字形状の中空状取付け部材で、該取付け部材１２は本体２に摺動自在に嵌合せしめられている。１３は上記取付け部材１２に昇降自在に嵌合された略下向きコ字形状の作動部材、１４は該作動部材１３の中央部下端に垂設された接続金具で、該接続金具１４は本体２に喰い込ませるべく先部が先鋭状に形成されると共に、アンテナ線９の両端部に嵌合せしめて接続せしめるべく先端より基端方向に向けて所要の幅と深さを備えた嵌合溝１５が切欠き状に形成された略Ｗ字形状とされている。その他、１６はパチンコ機（図示略）を構成する基体、１７は回路基板を各々示す。
【００１２】
上述のごとく構成された実施例は、図４に示すように、本体２をル−プ状に折曲せしめつつ基体１６・回路基板１７に強く巻付け、その自由端を係止孔３に挿通すると共に、所要の係止突起６を係止爪５に係止せしめ、基体１６・回路基板１７を一体的に結束せしめる。
【００１３】
次いで、結束せしめた本体２の自由端と基端とを重ね合せたのち、上方より作動部材１３を下降作動せしめ、接続金具１４を本体２に喰い込ませる。そして、本体２に封入するアンテナ線９を嵌合溝１５内に接触状に嵌合せしめ、アンテナ線９の両端を接続金具１４でもって導電的に接続せしめる（図５参照）。
【００１４】
そして、例えば、インシュロック１の結束を潜り抜けて回路基板１７が差換えられたか否かをチェックする場合には、公知のバ−コ−ド・ＩＣカ−ドリ−ダライタ（図示略）によりバ−コ−ド７及びＩＣチップ１０に記憶せしめた情報を読取ると共に、回路基板１７自体に表示された商品内容・内機の情報を読取る。そして、予めコンピュ−タに記憶せしめた情報と照合せしめ、回路基板１７の不正な差換えをチェックする。
【００１５】
また、結束せしめたインシュロック１を切断して不正に回路基板１７を差換えると共に
、インシュロック１を擬装して適否を視認することが出来ない場合においては、前記と同様にバ−コ−ド・ＩＣカ−ドリ−ドライタでもって読取りを行うも、本体２に封入するアンテナ線９が切断されているため、ＩＣチップ１０の読取りが不能となり、ひいては、不正な回路基板１７の差換えを確実にチェックすることが出来るものである。
【００１６】
なお、上記実施例において、本体２は合成樹脂材により形成するものとされているが、可撓性を有する他の公知の材質により形成してもよい。また、上記実施例は、パチンコ機における基体１６と回路基板１７を結束せしめ、回路基板１７の不正な差換え行為等を防止せしめるものとされているが、これに限定されるものでなく、所要の被結束物を結束せしめて不正行為を防止せしめることが出来るものであって、例えば、商品の盗難防止、取付け機器の不正取外し防止、認可機器及び基板の入替防止並びに管理、商品の外機と内機の照合管理並びに不正行為の防止等にも適用せしめることが出来るものである。
【図面の簡単な説明】
【００１７】
【図１】本発明の一実施例を示す一部破断平面図である。
【図２】図１の実施例を示す側面図である。
【図３】図２のＡ−Ａ線に沿う断面図である。
【図４】実施例の使用状態を示す側面図である。
【図５】図４のＢ−Ｂ線に沿う断面図である。
【符号の説明】
【００１８】
１    インシュロック                
２    本体
３    係止孔
５    係止爪
６    係止突起     
７    バ−コ−ド
９    アンテナ線
１０  ＩＣチップ
１４  接続金具
１５  嵌合溝
１６  基体
１７  回路基板
【図１】
2005080830.tif 000003
【図２】
2005080830.tif 000004
【図３】
2005080830.tif 000005
【図４】
2005080830.tif 000006
【図５】
2005080830.tif 000007